(57)【要約】  【課題】  本発明は、容易に適切なファイル名を作成するデジタルカメラを提供する。  【解決手段】  本発明では、デジタルカメラにおいて、サーバコンピュータと通信を行う通信手段と、サーバコンピュータから配信された情報を受信する受信手段と、前記受信手段が受信した情報に基づいて画像データのファイル名を生成する生成手段とを備える構成とした。【選択図】  図１
2006333501.tif 000002
【特許請求の範囲】
【請求項１】
サーバコンピュータと通信を行う通信手段と、
サーバコンピュータから配信された情報を受信する受信手段と、
前記受信手段が受信した情報に基づいて画像データのファイル名を生成する生成手段とを備えることを特徴とするデジタルカメラ。
【請求項２】
請求項１に記載のデジタルカメラにおいて、
前記生成手段は、撮影場所に関する情報に基づいてファイル名を生成することを特徴とするデジタルカメラ。
【請求項３】
請求項１に記載のデジタルカメラにおいて、
配信された情報は、ｗｅｂページ情報であることを特徴とするデジタルカメラ。
【請求項４】
請求項３に記載のデジタルカメラにおいて、
前記生成手段は、受信したｗｅｂページ情報の所定のタグに記載された文字列に基づいてファイル名を生成することを特徴とするデジタルカメラ。
【請求項５】
請求項４に記載のデジタルカメラにおいて、
前記生成手段は、受信したｗｅｂページ情報のタイトルタグに記載された文字列に基づいてファイル名を作成することを特徴とするデジタルカメラ。
【請求項６】
請求項３に記載のデジタルカメラにおいて、
配信されたｗｅｂページは、ガイド情報を記載したページであることを特徴とするデジタルカメラ。
【請求項７】
サーバコンピュータと通信を行う通信手段と、
サーバコンピュータから配信された情報を受信する受信手段と、
前記受信手段が受信した情報に基づいて画像データに付すタイトル名を生成する生成手段とを備えることを特徴とするデジタルカメラ。
【請求項８】
請求項７に記載のデジタルカメラにおいて、
配信された情報は、ｗｅｂページ情報であり、ｗｅｂページのタイトル名を画像データに付すタイトル名にすることを特徴とするデジタルカメラ。
【請求項９】
サーバコンピュータと通信する通信手段と、
撮影した画像データをサーバコンピュータに送信する送信手段と、
画像データの送信時にサーバコンピュータに記憶する画像データのファイル名をサーバコンピュータから取得する取得手段とを備えることを特徴とするデジタルカメラ。
【請求項１０】
請求項９に記載のデジタルカメラにおいて、
前記取得手段で取得したファイル名をカメラ内に保持するメモリを備えることを特徴とするデジタルカメラ。
【請求項１１】
請求項９に記載のデジタルカメラにおいて、
送信した画像データのサムネイル画像とともにファイル名を保持することを特徴とするデジタルカメラ。
【請求項１２】
撮影を可能にする撮影モードとガイド情報を閲覧するガイドモードとを切り替える切り替え手段と、
撮影制御を開始するために操作される操作部と、
前記切り替え手段により前記ガイドモード状態であるときに、前記操作部が操作されることに応じて前記ガイドモードから前記撮影モードに切り替えるよう制御する制御手段とを備えることを特徴とするデジタルカメラ。
【請求項１３】
請求項１２に記載のデジタルカメラにおいて、
前記操作部はレリーズボタンであり、
前記制御手段は、前記レリーズボタンが半押し操作されることに応じて前記ガイドモードから前記撮影モードに切り替えることを特徴とするデジタルカメラ。
【請求項１４】
請求項１２に記載のデジタルカメラにおいて、
情報を表示するモニタを有し、
前記モニタは、前記撮影モードでは被写体像を表示し、前記ガイドモードではガイド情報を表示することを特徴とするデジタルカメラ。
【発明の詳細な説明】
【技術分野】
【０００１】
本発明は、画像データを記録するデジタルカメラに関する。
【背景技術】
【０００２】
デジタルカメラは、画像データを記録する際に所定のルールに従って自動的に画像データのファイル名を作成する。
【発明の開示】
【発明が解決しようとする課題】
【０００３】
しかし、デジタルカメラにより自動的に作成されたファイル名は、それを見ても画像データの内容を理解することはできない。
本発明は、上記問題を解決し、容易に適切なファイル名を作成するデジタルカメラを提供する。
【課題を解決するための手段】
【０００４】
請求項１に記載の発明では、デジタルカメラにおいて、サーバコンピュータと通信を行う通信手段と、サーバコンピュータから配信された情報を受信する受信手段と、前記受信手段が受信した情報に基づいて画像データのファイル名を生成する生成手段とを備える構成とした。これにより、ファイル名を使った画像データの検索、管理が容易に行える。
【０００５】
請求項２に記載の発明では、請求項１に記載のデジタルカメラにおいて、前記生成手段は、撮影場所に関する情報に基づいてファイル名を生成する構成とした。
請求項３に記載の発明では、請求項１に記載のデジタルカメラにおいて、配信された情報は、ｗｅｂページ情報である構成とした。
【０００６】
請求項４に記載の発明では、請求項３に記載のデジタルカメラにおいて、前記生成手段は、受信したｗｅｂページ情報の所定のタグに記載された文字列に基づいてファイル名を生成する構成とした。
請求項５に記載の発明では、請求項４に記載のデジタルカメラにおいて、前記生成手段は、受信したｗｅｂページ情報のタイトルタグに記載された文字列に基づいてファイル名を作成する構成とした。
【０００７】
請求項６に記載の発明では、請求項３に記載のデジタルカメラにおいて、配信されたｗｅｂページは、ガイド情報を記載したページである構成とした。
請求項７に記載の発明では、デジタルカメラにおいて、サーバコンピュータと通信を行う通信手段と、サーバコンピュータから配信された情報を受信する受信手段と、前記受信手段が受信した情報に基づいて画像データに付すタイトル名を生成する生成手段とを備える構成とした。
【０００８】
請求項８に記載の発明では、請求項７に記載のデジタルカメラにおいて、配信された情報は、ｗｅｂページ情報であり、ｗｅｂページのタイトル名を画像データに付すタイトル名にする構成とした。
請求項９に記載の発明では、デジタルカメラにおいて、サーバコンピュータと通信する通信手段と、撮影した画像データをサーバコンピュータに送信する送信手段と、画像データの送信時にサーバコンピュータに記憶する画像データのファイル名をサーバコンピュータから取得する取得手段とを備える構成とした。
【０００９】
請求項１０に記載の発明では、請求項９に記載のデジタルカメラにおいて、前記取得手段で取得したファイル名をカメラ内に保持するメモリを備える構成とした。
請求項１１に記載の発明では、請求項９に記載のデジタルカメラにおいて、送信した画像データのサムネイル画像とともにファイル名を保持する構成とした。
【００１０】
請求項１２に記載の発明では、デジタルカメラにおいて、撮影を可能にする撮影モードとガイド情報を閲覧するガイドモードとを切り替える切り替え手段と、撮影制御を開始するために操作される操作部と、前記切り替え手段により前記ガイドモード状態であるときに、前記操作部が操作されることに応じて前記ガイドモードから前記撮影モードに切り替えるよう制御する制御手段とを備える構成とした。
【００１１】
請求項１３に記載の発明では、請求項１２に記載のデジタルカメラにおいて、前記操作部はレリーズボタンであり、前記制御手段は、前記レリーズボタンが半押し操作されることに応じて前記ガイドモードから前記撮影モードに切り替える構成とした。
【００１２】
請求項１４に記載の発明では、請求項１２に記載のデジタルカメラにおいて、情報を表示するモニタを有し、前記モニタは、前記撮影モードでは被写体像を表示し、前記ガイドモードではガイド情報を表示する構成とした。
【発明を実施するための最良の形態】
【００１３】
以下に本発明による画像データ管理システムの実施形態を説明する。図１は、画像データ管理システムのシステム構成を示すブロック図である。
本発明のシステムは、デジタルカメラ１、デジタルカメラ３、サーバコンピュータ２、サーバコンピュータ４で構成される。デジタルカメラ１とサーバコンピュータ２とはインターネット等のネットワークで通信可能に接続される。同様に、デジタルカメラ３とサーバコンピュータ４とはインターネット等のネットワークで通信可能に接続される。インターネットによりデジタルカメラ１、３とサーバコンピュータ２、４とを通信可能にするためには、インターネットプロバイダ等が必要であるが、本発明と直接関係ないのでここでは説明を省略する。また、図１においてはインターネットを使用したシステムを例示しているが、ＬＡＮ（Local Area Network）やエクストラネット等のネットワークを使用したシステムでも実現できる。
【００１４】
また、デジタルカメラ１とデジタルカメラ３とは無線ＬＡＮ、ブルートゥースまたは赤外線通信等の無線通信回線で通信可能に接続される。
デジタルカメラ１は、被写体を撮像してデジタルデータである画像データを生成する。また、デジタルカメラ１は、無線または有線でインターネットに接続し、サーバコンピュータ２と通信を行い、生成した画像データをサーバコンピュータ２に送信する。デジタルカメラ１については後に図２を用いて詳細に説明する。デジタルカメラ３についてはデジタルカメラ１と同様であるので説明を省略する。
【００１５】
サーバコンピュータ２は、デジタルカメラ１から送信される画像データを蓄積することができる画像蓄積部を含むサーバである。また、サーバコンピュータ２は、観光地、テーマパーク等の見どころ情報、地図情報のデータベースを備え、それら情報を配信するガイド情報提供サービスを行うｗｅｂサイトを提供する。サーバコンピュータ４についてはサーバコンピュータ２と同様であるので説明を省略する。
【００１６】
以下にデジタルカメラ１内の構成について説明する。図２は、デジタルカメラ１の内部構成を示す機能ブロック図である。
デジタルカメラ１は、ＣＰＵ１０１、通信回路１０２、モニタ１０３、スイッチ回路１０４、内蔵メモリ１０５、メモリカードスロット１０６、画像処理回路１０７、ＧＰＳ回路１０８を備える。当然、その他に撮像素子等の様々な回路を備えるが発明と関係がないため説明を省略する。
【００１７】
ＣＰＵ１０１は、デジタルカメラ１に内蔵された回路を制御し、デジタルカメラ１のあらゆる制御を司る。通信回路１０２は、無線または有線でインターネット等のネットワークに接続し、インターネット等のネットワークを介して信号の送受信を行うための回路である。デジタルカメラ１は、通信回路１０２を使用してサーバコンピュータ２、他のデジタルカメラ等と通信を行う。モニタ１０３は、液晶ディスプレイ等で構成され、撮像した画像、メニュー画面、警告画面等を表示するモニタである。スイッチ回路１０４は、デジタルカメラ１に設けられた各種ボタン、スイッチと電気的に接続されており、各種ボタン、スイッチの操作を検出する回路である。
【００１８】
内蔵メモリ１０５は、デジタルカメラ１を制御するためのファームウェア等のプログラムデータを保持するメモリである。また、内蔵メモリ１０５は、プログラムデータ以外にもサイト情報等の各種データを保持する。メモリカードスロット１０６は、装着されたメモリカードに撮影した画像データの書込みを行う。画像処理回路１０７は、撮像素子から出力された撮像データに対して画像処理を施す。また、画像処理回路１０７は、他のデジタルカメラから送信された画像データに対しても画像処理を施す。ＧＰＳ回路１０８は、位置情報を検出するための
回路である。
【００１９】
次に、デジタルカメラ１に備えられた操作部材等について説明する。図３は、デジタルカメラ１の外観を示す斜視図である。
デジタルカメラ１は、モニタ１０３とレリーズボタン１１１と通信ボタン１１０とダイヤル１１２を備える。当然、他に多くの部材を備えるがここでは説明を省略する。
【００２０】
レリーズボタン１１１は、撮影を行うときに操作するボタンである。レリーズボタン１１１は、押圧により半押し状態、全押し状態の２状態のスイッチとして機能する。通信ボタン１１０は、他のデジタルカメラと通信を開始するために操作するボタンである。ダイヤル１１２は、様々な設定を行うときにパラメータを選択するときに操作するダイヤルである。
【００２１】
これら、デジタルカメラ１に設けられたボタン、ダイヤルを操作することにより、様々な設定を行うことが可能になる。
なお、デジタルカメラ３もデジタルカメラ１と同様の機能、部材を備える。
次に本発明のデジタルカメラにおける動作について説明する。
【００２２】
例えば、友人と旅行中出かけたときに友人と一緒に被写体となる写真（画像データ）がほしい場合に、第三者に頼んで撮影してもらうことがある。このとき、それぞれ持参しているデジタルカメラを第三者に渡してそれぞれのデジタルカメラで撮影してもらえばそれぞれのデジタルカメラ内のメモリに記録される。また、撮影した画像データをサーバコンピュータ２に転送する設定がなされている場合にはサーバコンピュータ２内メモリの所定フォルダに転送される。しかし、数人のグループ全員が被写体となる画像データがほしい場合には、それぞれのデジタルカメラで第三者に撮影してもらう必要があり、第三者に負担をかけることになる。
【００２３】
また、１つのデジタルカメラで複数人が被写体となる画像データを撮影しておいた場合には、帰宅後または宿泊ホテル等でカメラ、パソコン等の端末を使用して画像データを転送し合ったり、画像データをダウンロードしたりすることで複数人が画像データを取得することができる。しかし、転送し合ったりダウンロードしたりするには、いろいろな操作を行う必要があり面倒であったり、操作がわからなかったりという問題が生じる。
【００２４】
本発明の実施形態のデジタルカメラでは、そのような場合には、一人のデジタルカメラで撮影を行った場合に、もう一人のデジタルカメラに自動的に画像データを転送するようにする。
以下に他のデジタルカメラに画像データを転送する制御について説明する。デジタルカメラ１からデジタルカメラ３に画像データを転送する実施形態を説明する。図４は、デジタルカメラ１で実行される転送制御のフローチャート図である。図４に示すフローは、送信先のデジタルカメラ３と無線にて通信可能に接続されることによりスタートする。本実施の形態では、デジタルカメラ１の通信ボタン１１０に相当するボタンを互いに操作し合うことにより互いのデジタルカメラ間で通信を開始する。
【００２５】
先ずステップＳ１０１では、送信先のデジタルカメラ３と通信してデジタルカメラ３のメーカ、機種等の情報を検出する。次にステップＳ１０２では、デジタルカメラ３が自身のデジタルカメラ１と同機種であるか検出する。同機種である場合にはステップＳ１０３に進み、同機種でない場合にはステップＳ１０４に進む。
【００２６】
ステップＳ１０３では、同機種の場合にはＲＡＷデータを送信するように設定する。ここで、ＲＡＷデータとは、撮像素子から出力された撮像データをほぼそのままの画像データとして記録する画像記録フォーマットである。ＲＡＷデータは、メーカごとにフォーマットが異なるため汎用性がない。そのため、同メーカ、同機種でないとＲＡＷデータを再生することができないため、画像データに対してサイズ変更、圧縮等の処理を施すことができない。
【００２７】
また、ＲＡＷデータを送信する理由は、ＲＡＷデータを送信しておけば同機種のデジタルカメラであれば画質劣化のない画像データに対して処理を施すことができるからであ。  一方ステップＳ１０４では、デジタルカメラ３が撮影設定情報を読み出すことができる機種であるか否かを検出する。撮影設定情報を読み出すことができる機種である場合にはステップＳ１０５に進み、撮影設定情報を読み出すことができない機種である場合にはステップＳ１０７に進む。撮影設定情報が読み出すことが機種とは、予め撮影設定を読み出し合うことができるように設計されたデジタルカメラである。ステップＳ１０５では、デジタルカメラ３の撮影設定を取得し、取得した撮影設定に従った画像データを送信する設定する。
【００２８】
一方、ステップＳ１０６では、予め定められた所定の画像サイズ、圧縮率の画像データを送信するように設定する。次にステップＳ１０７では、撮影制御が行われたか否かを検出する。撮影制御が行われた場合にはステップＳ１０８に進み、撮影制御が行われない場合には検出を継続する。ステップＳ１０８では、設定された撮影設定で画像データを生成する。そしてステップＳ１０９では、画像データをデジタルカメラ３に送信する。そしてステップＳ１１０では、自身のデジタルカメラ１の撮影設定に従って画像データを生成する。ステップＳ１１１では、生成した画像データを設定に従ったメモリに記録する。
【００２９】
このように、受信した画像データを撮影設定に従って圧縮して、メモリカードに記録したり、サーバコンピュータ２に転送する。また、接続したデジタルカメラ３が同機種である場合にはＲＡＷデータを送信することでデジタルカメラ１により圧縮等の画像処理を施す必要がないため、デジタルカメラ１の処理負担を軽減することができる。また、自身のデジタルカメラ１のために生成した画像データをデジタルカメラ１内に記録せずにサーバコンピュータ２に送信するように設定することができる。
【００３０】
なお、上記実施形態における制御では、画像データを送信した後に自身のデジタルカメラ内に記録する画像データを生成するようにしたが、自身のデジタルカメラ内に記録する画像データを生成した後に画像データを送信するようにしてもよい。
【００３１】
次に他のデジタルカメラ例えばデジタルカメラ３から転送された画像データをデジタルカメラ１内メモリに記録、またはサーバコンピュータ２に自動転送する制御について説明する。図５は、デジタルカメラ１で実行される画像データ記録制御を示すフローチャート図である。図５に示すフローは、デジタルカメラ１がデジタルカメラ３から画像データの転送を検出することによりスタートする。
【００３２】
先ずステップＳ２０１では、画像データを受信する。受信した画像データは一旦内蔵メモリ１０５に記憶される。次にステップＳ２０２では、画像データの受信が完了したか否かを検出する。画像データの受信が完了した場合にはステップＳ２０３に進み、画像データの受信が完了していない場合にはステップＳ２０１に戻る。
【００３３】
ステップＳ２０３では、受信した画像データに対して画像サイズ変更および圧縮を行う。画像サイズ変更および圧縮は自身のデジタルカメラ１の撮影設定で指定されている画像サイズ、圧縮率に従って行われる。また、受信した画像データのサムネイル画像を作成し、内蔵メモリ１０５に記憶する。
【００３４】
ステップＳ２０４では、受信した画像データに付加されていたタイトル名、画像データのファイル名を自身のデジタルカメラ１の設定に従って変更する。次にステップＳ２０５では、受信した画像データをモニタ１０３に表示させる。そしてステップＳ２０６では、画像データを外部に転送する転送設定がされているか否かを検出する。転送設定されている場合にはステップＳ２０７に進み、転送設定されていない場合にはステップＳ２０９に進む。ステップＳ２０７では、画像データをサーバコンピュータ２に転送する。ステップＳ２０８では、画像データの転送が完了したか否かを検出する。完了している場合にはステップＳ２１０に進み、完了していない場合にはステップＳ２０７に戻り、画像データの転送を継続する。
【００３５】
一方ステップＳ２０９では、メモリカードスロット１０６に挿入されたメモリカードに画像データを記録する。そしてステップＳ２１０では、モニタ１０３の画像表示を消去して記録が完了したことを知らせる。また、記録先ごとに記録が完了したことを表示させてもよい。
【００３６】
このようにデジタルカメラ１の撮影時の記録設定に従って画像データを記録することにより、転送された画像データであってもデジタルカメラ１で撮影した画像データと同様の画像サイズ、圧縮率で記録できる。
また、デジタルカメラ３からサーバコンピュータ２に送信するようにすると、サーバコンピュータ２に接続して画像データを記録するための接続先情報、認証情報等を設定しなければならない。しかし、上記のように自分のデジタルカメラ１経由で送信する制御を行うことによりデジタルカメラ１に登録された接続先情報、認証情報で簡単にサーバコンピュータ２に転送することができる。また、デジタルカメラ３に認証情報等を設定させることがないので、デジタルカメラ１における認証情報等の漏洩を防ぐことができる。      
【００３７】
また、デジタルカメラ１内の内蔵メモリ１０５にサーバコンピュータ２に送信した画像データのサムネイル画像を蓄積しておくことにより、サーバコンピュータ２にアクセスすることなくサーバコンピュータ２に送信を行った画像データの概要を確認することができる。
【００３８】
上述したように、デジタルカメラ１の通信ボタン１１０と同様の所定ボタンをそれぞれのデジタルカメラで同時に操作することにより、相手のデジタルカメラの撮影設定情報を読み出すと同時に相手に対して画像データを送信する送信モードに自動的に設定されるようになる。また、どちらのデジタルカメラで撮影、送信し、どちらのカメラで受信するかを設定する必要はない。撮影を行ったデジタルカメラから撮影を行わなかったデジタルカメラに画像データが送信されるよう
に制御する。
【００３９】
なお、画像データを送信するデジタルカメラと画像データを受信するデジタルカメラを設定しておくこともできる。一方のデジタルカメラで撮影した画像データは双方のデジタルカメラで記憶し、他方のデジタルカメラで撮影した画像データは自身のデジタルカメラのみに記憶するように設定することもできる。
【００４０】
また、撮影を行うとき、高品質の画像データが得られるデジタルカメラでの撮影を推奨するようにする。高画質の画像が得られる性能のよいカメラで撮影した画像データは、性能の悪いカメラで撮影した画像データ程度にすることはできるがその逆はできないからである。
【００４１】
また、送信モードに設定されているときに、送信モードに設定するための行った操作を再度行うことにより送信モードを解除することができる。
以下に転送モードにおける制御を具体的に説明する。図６は、デジタルカメラ１で実行される制御を示すフローチャート図である。図６に示すフローは、デジタルカメラ１に設けられた通信を行うためのボタンが操作されることによりスタートする。なお、デジタルカメラ１はデジタルカメラ３と通信を行うものとして説明する。
【００４２】
先ずステップＳ３０１では、デジタルカメラ３との間で通信が確立したか否かを検出する。確立した場合にはステップＳ３０２に進み、確立しない場合にはステップＳ３０１を継続する。そしてステップＳ３０２では、デジタルカメラ３で設定されている撮影設定を取得する。次にステップＳ３０３では、取得した撮影設定で画像データを生成するように設定し、更に生成した画像データを通信が確立したデジタルカメラ３に転送するように設定する。
【００４３】
ステップＳ３０４では、通信が確立したデジタルカメラ３と自身のデジタルカメラ１のどちらが高性能か判定する。自身が高性能である場合には本フローを終了し、相手が高性能である場合にはステップＳ３０５に進む。例えば、高性能であるか否かは、撮像素子の画素数の大小で判定する。そしてステップＳ３０５では、撮影モードになったときに通信相手のデジタルカメラで撮影したほうが高画質の画像データが得られる旨をモニタ１０３に表示するように設定する。
【００４４】
以上のとおり、制御することで撮影を行った場合に自動的にデジタルカメラ３に転送するように設定できる。
上述した実施形態のデジタルカメラでは、簡単な操作のみで自動的に他のデジタルカメラに転送を行うようにした。次に説明する実施形態のデジタルカメラは、一度の撮影で得られた画像データを２つ以上の異なる記録先のメモリに記録するよう設定することができる。更に、デジタルカメラは、それぞれの記録先に対して記録する画像データの画像サイズ、解像度を設定することができる。
【００４５】
次にデジタルカメラ１が備える記録設定制御について説明する。
以下に、設定方法を具体的に説明する。図７は、撮影後の画像データを複数の記録先に記録するための設定を行う設定画面の一例を示す図である。図７に示す設定画面はデジタルカメラ１のモニタ１０３に表示される。
【００４６】
図７中の「記録先」には、デジタルカメラに挿入されたメモリカード、他のカメラ、サーバコンピュータ等、撮影した画像データを記録する記録先が表示される。記録可能な記録先が表示される。「記録有無」には、記録可能な記録先のうち、どの記録先に記録するかの設定を行うことができる。図では「○」が付された記録先に撮影した画像データの記録を行い、「×」が付された記録先には画像データの記録を行わない。
【００４７】
「フォーマット」は、画像データのファイルフォーマットを記録先ごとに設定することができる。ＪＰＥＧ形式、非圧縮、ＲＡＷデータ等、画像データを記録するファイル形式を選択し設定する。「サイズ」は、記録する画像データの画像サイズを記録先ごとに設定することができる。「圧縮率」は、記録する画像データに施す圧縮の圧縮率を記録先ごとに設定する。
【００４８】
これらの設定は、デジタルカメラ１に設けられたボタン、ダイヤルを操作することにより行われる。
デジタルカメラ１は、一度の撮影が行われると図７の設定画面で設定された記録先ごと設定されている設定内容に従って画像データを生成し、複数の記録先に記録できるように画像データの送信等の制御を行う。
【００４９】
以下に、複数の記録先に画像データを記録させるためにデジタルカメラ１で実行する制御について説明する。図８は、デジタルカメラ１で実行される記録制御を示すフローチャート図である。図８に示すフローは、デジタルカメラ１のシャッターボタン１１１が全押しされたことを検出することによりスタートする。
【００５０】
先ずステップＳ４０１では、撮影で得られた画像データを内蔵メモリ１０５に記憶する。次にステップＳ４０２では、設定されている記録先設定情報を取得する。そしてステップＳ４０３では、記録先に外部メモリが設定されているか否かを判定し、記録先に外部メモリが設定されている場合には、ステップＳ４０４に進み、記録先に外部メモリが設定されていない場合にはステップＳ４０８に進む。
【００５１】
ステップＳ４０４では、外部メモリに記録可能な状態であるか否かを検出する。記録可能であればステップＳ４０５に進み、記録可能でなければステップＳ４０７に進む。次にステップＳ４０５では、外部送信先の記録設定に合わせた画像データを生成する。次にステップＳ４０６では、生成した画像データを送信する。またモニタ１０３に送信していることを表示する。そしてステップＳ４０７では、モニタ１０３に送信できない送信先と画像データを送信できない旨を表示する。
【００５２】
一方ステップＳ４０８では、記録先としてメモリカードが設定されているか否かを検出し、設定されている場合には４０９に進み、設定されていない場合には本フローを終了する。
ステップＳ４０９では、メモリカードへの記録設定に合わせた画像データを生成する。そしてステップＳ４１０では、メモリカードに生成した画像データを記録する。また、モニタ１０３にメモリカードに記録していることを表示する。
【００５３】
なお、上記制御では、撮影後に外部送信先に対して記録可能か確認するようにしたが、撮影前に確認するようにしてもよい。
このように複数の記録先に対してそれぞれ記録設定を行うことを可能にしたことにより、それぞれの記録先で必要とする画像データのサイズ、圧縮率の設定を行うことができ、設定に従ってそれぞれの記録先に画像データを記録することができる。また、一度圧縮した画像データを伸張して画像サイズを変更した後に再度圧縮しなおすことがないので画像データを無駄に劣化させてしまうことを防ぐ。
【００５４】
次にデジタルカメラ１が持つガイド情報閲覧機能について説明する。
デジタルカメラ１はガイド情報をモニタ１０３に表示する閲覧機能を有する。
ガイド情報は、観光地やテーマパーク内の見どころの紹介、地図等を提供するものであり、サーバコンピュータ２内に記憶され、インターネットを介してデジタルカメラ１に配信される。また、インターネットを介してガイド情報を提供するのではなく、例えば、メモリカードスロット１０６に挿入されるメモリカードに予め記憶させ手提供してもよい。ガイド情報を記憶したメモリカードは、有料で販売したり、旅行会社が旅行参加者に無料で配布してもよい。また、ガイド情報を記憶したメモリカードを提供するのではなく、ガイド情報を有料でダウンロードさせるようにしてもよい。これによりインターネットへの接続機能のないデジタルカメラであってもガイド情報を利用可能になる。
【００５５】
デジタルカメラ１は、撮影を行える撮影モード、撮影した画像データを再生する再生モード、ガイド情報を閲覧するガイドモードを備える。
デジタルカメラ１は、ガイドモードに設定されているときガイド情報をモニタ１０３に表示する。ガイド情報はＨＴＭＬ形式で記述された情報であり、デジタルカメラ１には閲覧するソフトウェアを記憶している。図９は、ガイド情報の表示例を示す図である。図９における文章欄９０１には、見どころ情報等を文章で掲載し、画像欄９０２には、写真、イラスト等の画像情報を掲載する。
【００５６】
また、デジタルカメラ１がガイドモードに設定されているときにレリーズボタン１１１を半押しすることにより、デジタルカメラ１は自動的にガイドモードから撮影モードに切り換わる。これにより、シャッタチャンスを逃すことが無い。
また、サーバコンピュータ２内には、顧客が旅行中に利用する観光ガイド情報を記憶し、ガイド情報を提供するとともに顧客がデジタルカメラで撮影した画像データを蓄積するサービスを提供する。
【００５７】
顧客の持つデジタルカメラはサーバコンピュータ２からガイド情報を取得して閲覧することができる。顧客はガイド情報を参考にして観光する。サーバコンピュータ２は、デジタルカメラ１に内蔵されたＧＰＳが出力するＧＰＳ情報を受信し、受信したＧＰＳ情報に合ったガイド情報を自動的にデジタルカメラ１に配信する。また、自動的に配信されるのではなく、必要とするガイド情報を指定して配信させるようにすることもできる。
【００５８】
また、本デジタルカメラ１は、ガイド情報と関連付けして撮影した画像データを保存できる。これにより、画像データのファイル名、タイトルをいちいち作成しなくても、画像データがどこで撮影したものか関連付けされたガイド情報を見ることによりわかる。
【００５９】
以下に、デジタルカメラ１の動作を説明する。
例えば、東京タワーのガイド情報を見ていて、レリーズボタン１１１を半押しすると、モニタ１０３にはガイド情報から撮像素子により撮像された画像に切り替わる。撮影がなされると直前に閲覧していたガイド情報の中に画像データが貼られたようなページデータを作成する。または、ガイド情報のタイトル名に関連した画像データのファイル名を作成する。
【００６０】
例えば、ＨＴＭＬ形式で記述されたガイド情報では、ＨＴＭＬ形式でガイド情報ページに張られた画像データを撮影した画像データに差し替える。そして、デジタルカメラ１を所有する顧客のフォルダ内に作成したＨＴＭＬ形式のデータを記録する。
【００６１】
また、ツアーの添乗員は、旅行日程に変更があれば修正を行う。修正は分単位で行う。これにより、撮影後に画像データが記録された日時情報と旅行日程とを照らし合わせることによりアルバムが作成できる。
以下にガイド情報に関する制御を具体的に説明する。
【００６２】
先ず、デジタルカメラ１で実行する制御について説明する。図１０は、デジタルカメラ１で実行される制御を示すフローチャート図である。図１０のフローは、ガイドモードに設定されているときに実行される。
先ずステップＳ５０１では、ＧＰＳにより検出している位置情報が変化したか否かを検出する。変化を検出した場合にはステップＳ５０２に進み、検出しない場合には検出を継続する。
【００６３】
ステップＳ５０２では、ＧＰＳ情報をサーバコンピュータ２に送信する。次にステップＳ５０３では、サーバコンピュータ２からガイド情報を受信する。次にステップＳ５０４では、受信したガイド情報をモニタ１０３に表示する。そしてステップＳ５０５では、レリーズボタン１１１が半押しされたか否かを検出する。半押しを検出した場合にはステップＳ５０６に進み、半押しを検出しない場合にはステップＳ５０１に戻る。
【００６４】
ステップＳ５０６では、モニタ１０３の表示をガイド情報から撮像素子が出力する画像情報に切り替える。次にステップＳ５０７では、レリーズボタン１１１が全押しされたか否かを検出する。全押しを検出した場合にはステップＳ５０９に進み、検出しない場合にはステップＳ５０８に進む。そしてステップＳ５０８では、レリーズボタン１１１の半押しが解除されたか否かを検出する。検出した場合にはステップＳ５０１に戻り、検出しない場合にはステップＳ５０７に戻る。
【００６５】
ステップＳ５０９では、撮影設定に従って撮影処理を実行する。そしてステップＳ５１０では、撮影処理により生成された画像データをサーバコンピュータ２に転送する。
次にサーバコンピュータ２で実行する処理について説明する。図１１は、サーバコンピュータ２で実行される制御を示すフローチャート図である。図１１のフローは、デジタルカメラ１からＧＰＳ情報が送信されることを検出してスタートする。
【００６６】
先ずステップＳ６０１では、ＧＰＳ情報を受信する。次にステップＳ６０２では、受信したＧＰＳ情報に対応するガイド情報を検索する。そしてステップＳ６０３では、該当するガイド情報をデジタルカメラ１に向けて送信する。
ステップＳ６０４では、画像データを受信したか否かを検出する。検出した場合にはステップＳ６０５に進み、検出しない場合にはステップＳ６０１に戻る。
【００６７】
ステップＳ６０５では、受信した画像データを記憶する。そしてステップＳ６０６では、ガイド情報として提供していたＨＴＭＬ形式のページ内の画像データをデジタルカメラ１から受信した画像データと置き換える。具体的には、図９で示したガイド情報ページの文章欄９０１に掲載していた文章情報はそのままにして、画像欄９０２に掲載していた画像情報を撮影して得られた画像データに置き換える。図１２は、アルバムページの表示例を示す図である。図１２における文章欄１２０１には、図９の文章欄９０１に掲載していた文章をそのまま掲載し、画像欄１２０２には、図９の画像欄９０２に掲載していた画像情報を撮影して得られた画像データと置き換える。
【００６８】
また、ガイド情報では１枚の画像データしかなかった場所で複数枚撮影した場合には、図９に示すガイド情報で提供したレイアウトと変わってしまうが複数枚の画像データを表示するように編集してもよい。また、図１３に示すように画像欄１３０２に表示させる個々の画像データを撮影画像数に合わせて縮小して表示するようにしてレイアウトを変えないように設定することもできる。
【００６９】
また、サーバコンピュータ２は、ＧＰＳ情報に基づいてデジタルカメラ１に送信するガイド情報を決定するのではなく、デジタルカメラ１を持つ顧客の旅行日程に従ってガイド情報を決定することができる。
サーバコンピュータ２は、旅行日程情報を保持しており、旅行日程情報と時刻情報とからガイド情報を配信する。つまり、旅行日程に従って行動している顧客がガイドを必要とする時刻にガイド情報が配信されるようにする。例えば、午後３時に皇居の見学を終了し、午後３時３０分から東京タワーを見学するという旅行日程である場合には、午後３時３０分に東京タワーのガイド情報を配信するようにする。また、午後３時３０分に配信すると予習することができないので、１０分前、または皇居の見学が終了する午後３時に東京タワーのガイド情報を配信するようにしてもよい。旅行日程にズレ、変更が生じた場合には、添乗員等の端末から日程修正を行うことで対応することができる。
【００７０】
以下に旅行日程に従ってガイド情報を送信するする制御を具体的に説明する。
旅行日程情報はサーバコンピュータ２のメモリに予めガイド情報と関連付けて記憶されている。図１４は、サーバコンピュータ２で実行される制御を示すフローチャート図である。
【００７１】
先ずステップＳ７０１では、旅行日程を監視し、ガイド情報を送信する時刻になったか否かを検出する。ガイド情報を送信する時刻になった場合にはステップＳ７０２に進み、時刻になっていない場合には監視を継続する。
ステップＳ７０２では、旅行日程に対応して登録されている顧客のデジタルカメラのカメラ情報を読み出す。旅行日程に対応して登録されているデジタルカメラとは、旅行日程に参加している顧客が持つデジタルカメラである。次にステップＳ７０３では、旅行日程に合ったガイド情報を読出し、デジタルカメラ１に送信する。そしてステップＳ７０４では、画像データを受信したか否かを検出する。受信を検出した場合にはステップＳ７０５に進み、受信を検出しない場合にはステップＳ７０１に戻る。ステップＳ７０５では、直前に提供したガイド情報の画像データを受信した画像データと置き換える。
【００７２】
なお、サーバコンピュータは、１つのデジタルカメラに対して処理を行っているだけでなく、複数のデジタルカメラに対応するため、複数処理を行っている。また、ＧＰＳ情報、旅行日程に従って自動的にガイド情報をデジタルカメラに送信するのではなく、添乗員等により手動でガイド情報を各デジタルカメラに転送することもできる。
【００７３】
次に、デジタルカメラ１で閲覧していたガイド情報を参照して、撮影して得られた画像データのファイル名、タイトルを自動的に作成する処理について説明する。デジタルカメラ１は、例えば、東京タワー見物のために東京タワーのガイド情報を撮影の直前まで閲覧していた場合には、撮影した画像データのファイル名をtokyotower001等にしたり、画像データのタイトルを東京タワーとしたりする。
【００７４】
以下に、撮影した画像データのファイル名、タイトルを作成する処理を具体的に説明する。図１５は、デジタルカメラ１で実行される制御を示すフローチャート図である。本フローは、撮影処理が終了することによりスタートする。
先ずステップＳ８０１では、撮影直前に閲覧していたガイド情報のタイトル部分を抽出する。次にステップＳ８０２では、ガイド情報のタイトルを撮影した画像データのタイトルとして生成する。次にステップＳ８０３では、画像データのファイル名をガイド情報のタイトルに通し番号を付した名前として生成する。通し番号を付す理由は、同じ場所で複数枚撮影した場合に同じファイル名になってしまうことを防ぐためである。そしてステップＳ８０４では、画像データにタイトル、ファイル名を付してメモリカードに記録する。
【００７５】
次に、撮影した画像データをサーバコンピュータ２に記録する場合のファイル名、タイトルを作成する処理について説明する。
以下に、画像データのファイル名とタイトルを作成する処理について説明する。
【００７６】
先ず、サーバコンピュータ２における制御について説明する。図１６は、サーバコンピュータ２で行われるファイル名、タイトル作成処理を説明するためのフローチャート図である。
先ずステップＳ９０１では、ガイド情報をデジタルカメラ１に送信する。サーバコンピュータ２は常にデジタルカメラ１に対して現在必要とされる観光地に関するガイド情報を送信している。次にステップＳ９０２では、デジタルカメラ１から画像データを受信したか否かを検出する。画像データを受信した場合にはステップＳ９０３に進み、受信していない場合にはステップＳ９０１に戻る。
【００７７】
ステップＳ９０３では、画像データの受信が完了したか否かを検出する。完了を検出した場合にはステップＳ９０４に進み、完了を検出しない場合には検出を継続する。
ステップＳ９０４では、送信された画像データのファイル名、タイトルを解析する。次にステップＳ９０５では、ファイル名、タイトルがガイド情報から作成されたものであるか否かを検出する。ガイド情報から作成されたものである場合にはステップＳ９０６に進み、ガイド情報に基づいて作成されたものでない場合にはステップＳ９０７に進む。そしてステップＳ９０６では、タイトルは変更せず、ファイル名の番号数字部分を他の画像データのファイル名と同じにならないように変更する。
【００７８】
次にステップＳ９０７では、画像データの送信元であるデジタルカメラ１に撮影前に送信したガイド情報を検出する。次にステップＳ９０８では、検出したガイド情報に基づいてファイル名、タイトルを生成する。そしてステップＳ９０９では、画像データをデジタルカメラ１の所有者が登録した所定フォルダに記録する。
【００７９】
また、上述したようにサーバコンピュータ２が提供する観光地のガイド情報とは、デジタルカメラ１からの要求に応じた情報、旅行日程に従った情報、添乗員等が手動で発信した情報のいずれでもよい。
次に、デジタルカメラ１における制御を説明する。図１７は、デジタルカメラ１で実行される制御を示すフローチャート図である。図１７に示すフローは、デジタルカメラ１に設けられているレリーズボタン１１１が全押されたことを検出することによりスタートする。
【００８０】
先ずステップＳ１００１では、撮影制御を実行し、画像データ生成する。次にステップＳで１００２は、撮影直前にサーバコンピュータ２から受信しているガイド情報を特定する特定情報を抽出する。次にステップＳ１００３では、画像データとガイド情報の特定情報とをサーバコンピュータ２に送信する。そしてステップＳ１００４では、ファイル名、記憶先のアドレス情報等の送信した画像データにアクセスするための情報を受信したか否かを検出する。検出した場合にはステップＳ１００５に進み、検出しない場合には検出を継続する。そしてステップＳ１００５では、アクセス情報を内蔵メモリ１０５に記憶する。
【００８１】
このように、送信した画像データにアクセスするための情報を受信し、デジタルカメラ１内に記憶しておくことにより、デジタルカメラ１から容易に送信した画像データにアクセスできる。
また、サーバコンピュータ２から配信される情報は、観光地の見どころ等のガイド情報のみでなく、入場チケット情報、切符情報、ホテルのキー情報、様々な割引クーポン等が配信される。チケット情報が配信されたデジタルカメラ１、携帯電話を携帯するだけで入場することが可能になったり、配信された情報を表示したモニタ画面を見せたり、読み取らせたりすることで入場可能となったりする。なお、サーバコンピュータ２からチケット情報が配信されるのではなく、メモリカード等に予め必要となるチケット情報を記録させておき、配布するようにしてもよい。
【００８２】
以下に、チケット配信制御について説明する。
チケット情報、切符情報は旅行日程、ＧＰＳ情報に従って配信される。従って、デジタルカメラ１を紛失しても、その時間、その場所に行かなければ配信されることが無く、簡単に悪用されることがない。紛失時に配信をキャンセルする処置をとることにより、使われることを防ぐことができる。  
【００８３】
また、その都度配信することにより、本体内のチケット情報によりメモリ容量を無駄に使用しない。
また、配信されるチケット情報は使用することが決まっていて、既に購入したもの、購入予約したものである。なお、購入を推奨するチケット、その場で必要となるチケット情報を配信するようにしてもよい。
【００８４】
以下にチケット情報等の配信制御について具体的に説明する。図１８は、サーバコンピュータ２により実行される制御を示すフローチャート図である。
先ずステップＳ１１０１では、ＧＰＳ情報と旅行日程情報とを解析する。次にステップＳ１１０２では、解析結果からチケット情報配信すべきか判断し、チケット情報を配信すべき場合にはステップＳ１１０３に進み、チケット情報を配信すべきでない場合にはステップＳ１１０１に戻る。次にステップＳ１１０３では、解析結果から必要なチケット情報を抽出する。そしてステップＳ１１０４では、抽出したチケット情報をデジタルカメラ１に送信する。
【００８５】
上記制御ではチケット情報の配信について説明したが、チケット情報の配信とガイド情報の配信とを同時に行うようにしてもよい。その場合、ガイド情報のページの中にチケット情報を埋め込んだページを配信するようにしてもよいし、別々のページを同時に配信するようにしてもよい。そのようにした場合、チケット情報を配信するための特別な制御を持たず、所定のガイド情報と合わせてチケット情報を配信するようにすることで、ガイド情報の配信時期を解析することによ
り足りる。
【００８６】
上記実施形態ではＧＰＳ情報と旅行日程情報の２つの情報に基づいてチケットを配信したが、ＧＰＳ情報のみ、旅行日程情報のみに基づいてチケット情報を配信してもよい。また、ＧＰＳ情報、旅行日程情報でなく他の情報からチケット情報配信時期を決定して送信してもよい。
【図面の簡単な説明】
【００８７】
【図１】図１は、画像データ管理システムのシステム構成を示すブロック図である。
【図２】図２は、デジタルカメラ１の内部構成を示す機能ブロック図である。
【図３】図３は、デジタルカメラ１の外観を示す斜視図である。
【図４】図４は、デジタルカメラ１で実行される転送制御のフローチャート図である。
【図５】図５は、デジタルカメラ１で実行される画像データ記録制御を示すフローチャート図である。
【図６】図６は、デジタルカメラ１で実行される制御を示すフローチャート図である。
【図７】図７は、撮影後の画像データを複数の記録先に記録するための設定を行う設定画面の一例を示す図である。
【図８】図８は、デジタルカメラ１で実行される記録制御を示すフローチャート図である。
【図９】図９は、ガイド情報の表示例を示す図である。
【図１０】図１０は、デジタルカメラ１で実行される制御を示すフローチャート図である。
【図１１】図１１は、サーバコンピュータ２で実行される制御を示すフローチャート図である。
【図１２】図１２は、アルバムページの表示例を示す図である。
【図１３】図１３は、アルバムページの表示例を示す図である。
【図１４】図１４は、サーバコンピュータ２で実行される制御を示すフローチャート図である。
【図１５】図１５は、デジタルカメラ１で実行される制御を示すフローチャート図である。
【図１６】図１６は、サーバコンピュータ２で行われるファイル名、タイトル作成処理を説明するためのフローチャート図である。
【図１７】図１７は、デジタルカメラ１で実行される制御を示すフローチャート図である。
【図１８】図１８は、サーバコンピュータ２により実行される制御を示すフローチャート図である。
【符号の説明】
【００８８】
１，３…デジタルカメラ
２，４…サーバコンピュータ
１０１…ＣＰＵ
１０２…通信回路
１０３…モニタ
１０４…スイッチ回路
１０５…内蔵メモリ
１０６…メモリカードスロット
１０７…画像処理回路
１０８…ＧＰＳ回路
【図１】
2006333501.tif 000003
【図２】
2006333501.tif 000004
【図３】
2006333501.tif 000005
【図４】
2006333501.tif 000006
【図５】
2006333501.tif 000007
【図６】
2006333501.tif 000008
【図７】
2006333501.tif 000009
【図８】
2006333501.tif 000010
【図９】
2006333501.tif 000011
【図１０】
2006333501.tif 000012
【図１１】
2006333501.tif 000013
【図１２】
2006333501.tif 000014
【図１３】
2006333501.tif 000015
【図１４】
2006333501.tif 000016
【図１５】
2006333501.tif 000017
【図１６】
2006333501.tif 000018
【図１７】
2006333501.tif 000019
【図１８】
2006333501.tif 000020